(57)【要約】      （修正有）【課題】放電灯の寿命を向上できる放電灯駆動装置を提供する。【解決手段】電極を有する放電灯に駆動電流を供給する放電灯駆動部と、放電灯駆動部を制御する制御部と、を備える。放電灯駆動部は、所定の駆動電力が放電灯に供給される第１モードと、駆動電力の値が時間的に変化する第２モードＭＣと、を有する。制御部は、第２モードＭＣにおいて、駆動電力の変化に応じて放電灯に供給される駆動電流の駆動パターンを変化させ、第２モードＭＣにおいて、所定期間ＰＨｊにおける駆動電力Ｗｄの値が所定値よりも大きくなる期間の割合が所定の割合よりも大きくなる場合、駆動電力が所定値よりも大きくなる期間における駆動パターンを、第１駆動パターンＤＷ３から、電極に加えられる熱負荷が第１駆動パターンよりも大きい第２駆動パターンＤＷＳに切り換える。【選択図】図１０
2018060704.tif 000002
【特許請求の範囲】
【請求項１】
電極を有する放電灯に駆動電流を供給する放電灯駆動部と、
前記放電灯駆動部を制御する制御部と、
を備え、
前記放電灯駆動部は、所定の駆動電力が前記放電灯に供給される第１モードと、前記駆
動電力の値が時間的に変化する第２モードと、を有し、
前記制御部は、前記第２モードにおいて、前記駆動電力の変化に応じて前記放電灯に供
給される前記駆動電流の駆動パターンを変化させ、
前記制御部は、前記第２モードにおいて、所定期間における前記駆動電力の値が所定値
よりも大きくなる期間の割合が所定の割合よりも大きくなる場合、前記駆動電力が前記所
定値よりも大きくなる期間における駆動パターンを、第１駆動パターンから、前記電極に
加えられる熱負荷が前記第１駆動パターンよりも大きい第２駆動パターンに切り換えるこ
とを特徴とする放電灯駆動装置。
【請求項２】
前記第２駆動パターンは、前記第１モードにおいて前記放電灯に供給される前記駆動電
流の駆動パターンと同じである、請求項１に記載の放電灯駆動装置。
【請求項３】
前記制御部は、前記第１駆動パターンから前記第２駆動パターンに切り換えてから所定
時間が経過した場合、前記駆動電力が前記所定値よりも大きくなる期間における前記駆動
パターンを前記第２駆動パターンから前記第１駆動パターンに切り換える、請求項１また
は２に記載の放電灯駆動装置。
【請求項４】
前記制御部は、前記放電灯の電極間電圧に応じて、前記所定時間を変化させる、請求項
３に記載の放電灯駆動装置。
【請求項５】
前記制御部は、前記電極間電圧が第１電圧となるときの前記所定時間を、前記電極間電
圧が前記第１電圧よりも小さい第２電圧となるときの前記所定時間よりも長くする、請求
項４に記載の放電灯駆動装置。
【請求項６】
前記制御部は、前記第２モードにおいて、前記駆動電力が前記所定値よりも大きくなる
期間における駆動パターンが前記第２駆動パターンであり、かつ、前記所定期間における
前記駆動電力の値が前記所定値よりも大きくなる期間の割合が前記所定の割合以下になる
場合、前記駆動電力が前記所定値よりも大きくなる期間における前記駆動パターンを、前
記第２駆動パターンから前記第１駆動パターンに切り換える、請求項１または２に記載の
放電灯駆動装置。
【請求項７】
光を射出する放電灯と、
請求項１から６のいずれか一項に記載の放電灯駆動装置と、
を備えることを特徴とする光源装置。
【請求項８】
請求項７に記載の光源装置と、
前記光源装置から射出される光を画像信号に応じて変調する光変調装置と、
前記光変調装置により変調された光を投射する投射光学系と、
を備えることを特徴とするプロジェクター。
【請求項９】
電極を有する放電灯に駆動電流を供給して、前記放電灯を駆動する放電灯駆動方法であ
って、
所定の駆動電力が前記放電灯に供給される第１モードと、前記駆動電力の値が時間的に
変化する第２モードと、を有し、
前記第２モードにおいて、前記駆動電力の変化に応じて前記放電灯に供給される前記駆
動電流の駆動パターンを変化させ、
前記第２モードにおいて、所定期間における前記駆動電力の値が所定値よりも大きくな
る期間の割合が所定の割合よりも大きくなる場合、前記駆動電力が前記所定値よりも大き
くなる期間における駆動パターンを、第１駆動パターンから、前記電極に加えられる熱負
荷が前記第１駆動パターンよりも大きい第２駆動パターンに切り換えることを特徴とする
放電灯駆動方法。
【発明の詳細な説明】
【技術分野】
【０００１】
本発明は、放電灯駆動装置、光源装置、プロジェクター、および放電灯駆動方法に関す
る。
【背景技術】
【０００２】
ランプの点灯パターンに応じてランプの制御パターンを変化させる点灯装置が知られて
いる（例えば、特許文献１参照）。
【先行技術文献】
【特許文献】
【０００３】
【特許文献１】特許第４００３７９６号公報
【発明の概要】
【発明が解決しようとする課題】
【０００４】
ところで、上述したランプ（放電灯）の点灯パターンとして、映像信号に応じてランプ
に供給される駆動電力を変化させる駆動が挙げられる。このような駆動においては、駆動
電力の値が比較的大きくなる状態が比較的長く設けられるような場合、電極の突起を十分
に成長させにくく、ランプの寿命が低下する場合があった。
【０００５】
本発明の一つの態様は、上記問題点に鑑みて成されたものであって、放電灯の寿命を向
上できる放電灯駆動装置、そのような放電灯駆動装置を備えた光源装置、およびそのよう
な光源装置を備えたプロジェクターを提供することを目的の一つとする。また、本発明の
一つの態様は、放電灯の寿命を向上できる放電灯駆動方法を提供することを目的の一つと
する。
【課題を解決するための手段】
【０００６】
本発明の放電灯駆動装置の一つの態様は、電極を有する放電灯に駆動電流を供給する放
電灯駆動部と、前記放電灯駆動部を制御する制御部と、を備え、前記放電灯駆動部は、所
定の駆動電力が前記放電灯に供給される第１モードと、前記駆動電力の値が時間的に変化
する第２モードと、を有し、前記制御部は、前記第２モードにおいて、前記駆動電力の変
化に応じて前記放電灯に供給される前記駆動電流の駆動パターンを変化させ、前記制御部
は、前記第２モードにおいて、所定期間における前記駆動電力の値が所定値よりも大きく
なる期間の割合が所定の割合よりも大きくなる場合、前記駆動電力が前記所定値よりも大
きくなる期間における駆動パターンを、第１駆動パターンから、前記電極に加えられる熱
負荷が前記第１駆動パターンよりも大きい第２駆動パターンに切り換えることを特徴とす
る。
【０００７】
本発明の放電灯駆動装置の一つの態様によれば、第２モードにおいて駆動電力の値が比
較的大きくなる状態が比較的長く設けられるような場合に、駆動電力が所定値よりも大き
くなる期間における駆動パターンを第２駆動パターンに切り換えることで、電極に好適に
熱負荷を加えることができ、電極の突起を好適に成長させることができる。これにより、
本発明の放電灯駆動装置の一つの態様によれば、放電灯の寿命を向上させることができる
。
【０００８】
前記第２駆動パターンは、前記第１モードにおいて前記放電灯に供給される前記駆動電
流の駆動パターンと同じである構成としてもよい。
この構成によれば、第２モードにおいて駆動電力の値が比較的大きくなる場合に、第１
モードを実行している場合と同様に電極に熱負荷を加えることができ、電極の突起をより
好適に成長させることができる。したがって、放電灯の寿命をより向上できる。
【０００９】
前記制御部は、前記第１駆動パターンから前記第２駆動パターンに切り換えてから所定
時間が経過した場合、前記駆動電力が前記所定値よりも大きくなる期間における前記駆動
パターンを前記第２駆動パターンから前記第１駆動パターンに切り換える構成としてもよ
い。
この構成によれば、第１駆動パターンと第２駆動パターンとを好適に切り換えて、電極
に対して好適に熱負荷を加えやすい。これにより、放電灯の寿命をより向上できる。
【００１０】
前記制御部は、前記放電灯の電極間電圧に応じて、前記所定時間を変化させる構成とし
てもよい。
この構成によれば、放電灯の劣化に応じて、第２駆動パターンの実行時間を変化させや
すく、放電灯の寿命をより向上できる。
【００１１】
前記制御部は、前記電極間電圧が第１電圧となるときの前記所定時間を、前記電極間電
圧が前記第１電圧よりも小さい第２電圧となるときの前記所定時間よりも長くする構成と
してもよい。
この構成によれば、放電灯が劣化するほど、第２駆動パターンの実行時間を長くしやす
く、電極に加えられる熱負荷を大きくできる。これにより、放電灯の寿命をより向上でき
る。
【００１２】
前記制御部は、前記第２モードにおいて、前記駆動電力が前記所定値よりも大きくなる
期間における駆動パターンが前記第２駆動パターンであり、かつ、前記所定期間における
前記駆動電力の値が前記所定値よりも大きくなる期間の割合が前記所定の割合以下になる
場合、前記駆動電力が前記所定値よりも大きくなる期間における前記駆動パターンを、前
記第２駆動パターンから前記第１駆動パターンに切り換える構成としてもよい。
この構成によれば、駆動電力の値の変化の状態に応じて、第１駆動パターンと第２駆動
パターンとを好適に切り換えやすい。そのため、放電灯の寿命をより向上できる。
【００１３】
本発明の光源装置の一つの態様は、光を射出する放電灯と、上記の放電灯駆動装置と、
を備えることを特徴とする。
【００１４】
本発明の光源装置の一つの態様によれば、上記の放電灯駆動装置を備えるため、放電灯
の寿命を向上できる。
【００１５】
本発明のプロジェクターの一つの態様は、上記の光源装置と、前記光源装置から射出さ
れる光を画像信号に応じて変調する光変調装置と、前記光変調装置により変調された光を
投射する投射光学系と、を備えることを特徴とする。
【００１６】
本発明のプロジェクターの一つの態様によれば、上記の光源装置を備えるため、放電灯
の寿命を向上できる。
【００１７】
本発明の放電灯駆動方法の一つの態様は、電極を有する放電灯に駆動電流を供給して、
前記放電灯を駆動する放電灯駆動方法であって、所定の駆動電力が前記放電灯に供給され
る第１モードと、前記駆動電力の値が時間的に変化する第２モードと、を有し、前記第２
モードにおいて、前記駆動電力の変化に応じて前記放電灯に供給される前記駆動電流の駆
動パターンを変化させ、前記第２モードにおいて、所定期間における前記駆動電力の値が
所定値よりも大きくなる期間の割合が所定の割合よりも大きくなる場合、前記駆動電力が
前記所定値よりも大きくなる期間における駆動パターンを、前記第１駆動パターンから、
前記電極に加えられる熱負荷が前記第１駆動パターンよりも大きい第２駆動パターンに切
り換えることを特徴とする。
【００１８】
本発明の放電灯駆動方法の一つの態様によれば、上述したのと同様にして、放電灯の寿
命を向上できる。
【図面の簡単な説明】
【００１９】
【図１】本実施形態のプロジェクターの概略構成図である。
【図２】本実施形態における放電灯を示す図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６Ａ】放電灯の電極先端の突起の様子を示す図である。
【図６Ｂ】放電灯の電極先端の突起の様子を示す図である。
【図７】本実施形態の定格駆動モードＭＳにおける駆動パターンの一例を示す模式図である。
【図８】本実施形態の混合期間において放電灯に供給される駆動電流の一例を示す図である。
【図９】本実施形態の片寄期間において放電灯に供給される駆動電流の一例を示す図である。
【図１０】本実施形態の調光駆動モードにおける、駆動電力の変化に対する駆動電流の駆動パターンの変化の一例を示す図である。
【図１１】本実施形態の調光駆動モードにおける駆動パターンの一例を示す模式図である。
【図１２】本実施形態の調光駆動モードにおける、駆動電力の変化に対する駆動電流の駆動パターンの変化の他の一例を示す図である。
【発明を実施するための形態】
【００２０】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２１】
図１に示すように、本実施形態のプロジェクター５００は、光源装置２００と、平行化
レンズ３０５と、照明光学系３１０と、色分離光学系３２０と、３つの液晶ライトバルブ
（光変調装置）３３０Ｒ，３３０Ｇ，３３０Ｂと、クロスダイクロイックプリズム３４０
と、投射光学系３５０と、を備えている。
【００２２】
光源装置２００から射出された光は、平行化レンズ３０５を通過して照明光学系３１０
に入射する。平行化レンズ３０５は、光源装置２００からの光を平行化する。
【００２３】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００２４】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、映像信号に応じてそれぞれ変調される。液晶ライトバルブ３３０Ｒ，３３０
Ｇ，３３０Ｂは、後述する液晶パネル５６０Ｒ，５６０Ｇ，５６０Ｂと、偏光板（図示せ
ず）と、を備えている。偏光板は、液晶パネル５６０Ｒ，５６０Ｇ，５６０Ｂのそれぞれ
の光入射側および光射出側に配置される。
【００２５】
変調された３つの色光は、クロスダイクロイックプリズム３４０により合成される。合
成光は投射光学系３５０に入射する。投射光学系３５０は、入射光をスクリーン７００（
図３参照）に投射する。これにより、スクリーン７００上に映像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００２６】
図２は、光源装置２００の構成を示す断面図である。光源装置２００は、光源ユニット
２１０と、放電灯点灯装置（放電灯駆動装置）１０と、を備えている。図２には、光源ユ
ニット２１０の断面図が示されている。光源ユニット２１０は、主反射鏡１１２と、放電
灯９０と、副反射鏡１１３と、を備えている。
【００２７】
放電灯点灯装置１０は、放電灯９０に駆動電流Ｉを供給して放電灯９０を点灯させる。
主反射鏡１１２は、放電灯９０から放出された光を照射方向Ｄに向けて反射する。照射方
向Ｄは、放電灯９０の光軸ＡＸと平行である。
【００２８】
放電灯９０の形状は、照射方向Ｄに沿って延びる棒状である。放電灯９０の一方の端部
を第１端部９０ｅ１とし、放電灯９０の他方の端部を第２端部９０ｅ２とする。放電灯９
０の材料は、例えば、石英ガラス等の透光性材料である。放電灯９０の中央部は球状に膨
らんでおり、その内部は放電空間９１である。放電空間９１には、希ガス、金属ハロゲン
化合物等を含む放電媒体であるガスが封入されている。
【００２９】
放電空間９１には、第１電極（電極）９２および第２電極（電極）９３の先端が突出し
ている。第１電極９２は、放電空間９１の第１端部９０ｅ１側に配置されている。第２電
極９３は、放電空間９１の第２端部９０ｅ２側に配置されている。第１電極９２および第
２電極９３の形状は、光軸ＡＸに沿って延びる棒状である。放電空間９１には、第１電極
９２および第２電極９３の電極先端部が、所定距離だけ離れて対向するように配置されて
いる。第１電極９２および第２電極９３の材料は、例えば、タングステン等の金属である
。
【００３０】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６および第２端子５４６の材料は、例えば
、タングステン等の金属である。導電性部材５３４，５４４の材料としては、例えば、モ
リブデン箔が利用される。
【００３１】
第１端子５３６および第２端子５４６は、放電灯点灯装置１０に接続されている。放電
灯点灯装置１０は、第１端子５３６および第２端子５４６に、放電灯９０を駆動するため
の駆動電流Ｉを供給する。その結果、第１電極９２および第２電極９３の間でアーク放電
が起きる。アーク放電により発生した光（放電光）は、破線の矢印で示すように、放電位
置から全方向に向かって放射される。
【００３２】
主反射鏡１１２は、固定部材１１４により、放電灯９０の第１端部９０ｅ１に固定され
ている。主反射鏡１１２は、放電光のうち、照射方向Ｄと反対側に向かって進む光を照射
方向Ｄに向かって反射する。主反射鏡１１２の反射面（放電灯９０側の面）の形状は、放
電光を照射方向Ｄに向かって反射できる範囲内において、特に限定されず、例えば、回転
楕円形状であっても、回転放物線形状であってもよい。例えば、主反射鏡１１２の反射面
の形状を回転放物線形状とした場合、主反射鏡１１２は、放電光を光軸ＡＸに略平行な光
に変換することができる。これにより、平行化レンズ３０５を省略することができる。
【００３３】
副反射鏡１１３は、固定部材５２２により、放電灯９０の第２端部９０ｅ２側に固定さ
れている。副反射鏡１１３の反射面（放電灯９０側の面）の形状は、放電空間９１の第２
端部９０ｅ２側の部分を囲む球面形状である。副反射鏡１１３は、放電光のうち、主反射
鏡１１２が配置された側と反対側に向かって進む光を主反射鏡１１２に向かって反射する
。これにより、放電空間９１から放射される光の利用効率を高めることができる。
【００３４】
固定部材１１４，５２２の材料は、放電灯９０からの発熱に耐え得る耐熱材料である範
囲内において、特に限定されず、例えば、無機接着剤である。主反射鏡１１２および副反
射鏡１１３と放電灯９０との配置を固定する方法としては、主反射鏡１１２および副反射
鏡１１３を放電灯９０に固定する方法に限らず、任意の方法を採用できる。例えば、放電
灯９０と主反射鏡１１２とを、独立にプロジェクター５００の筐体（図示せず）に固定し
てもよい。副反射鏡１１３についても同様である。
【００３５】
以下、プロジェクター５００の回路構成について説明する。
図３は、本実施形態のプロジェクター５００の回路構成の一例を示す図である。プロジ
ェクター５００は、図１に示した光学系の他、画像信号変換部５１０と、直流電源装置８
０と、液晶パネル５６０Ｒ，５６０Ｇ，５６０Ｂと、画像処理装置５７０と、ＣＰＵ（Ce
ntral Processing Unit）５８０と、を備えている。
【００３６】
画像信号変換部５１０は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００３７】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００３８】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５１０、画像処理装置５７０およびトランスの１次側
にある放電灯点灯装置１０に直流電圧を供給する。
【００３９】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００４０】
液晶パネル５６０Ｒ，５６０Ｇ，５６０Ｂは、前述した液晶ライトバルブ３３０Ｒ，３
３０Ｇ，３３０Ｂにそれぞれ備えられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００４１】
ＣＰＵ５８０は、プロジェクター５００の点灯開始から消灯に至るまでの各種の動作を
制御する。例えば、図３では、通信信号５８２を介して点灯命令や消灯命令を放電灯点灯
装置１０に出力する。ＣＰＵ５８０は、放電灯点灯装置１０から通信信号５８４を介して
放電灯９０の点灯情報を受け取る。
【００４２】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と
、制御部４０と、動作検出部６０と、イグナイター回路７０と、を備えている。
【００４３】
電力制御回路２０は、放電灯９０に供給する駆動電力Ｗｄを生成する。本実施形態にお
いては、電力制御回路２０は、直流電源装置８０からの電圧を入力とし、入力電圧を降圧
して直流電流Ｉｄを出力するダウンチョッパー回路で構成されている。
【００４４】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００４５】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、後述する制御部４０から電流制御信号が入力されてスイッ
チ素子２１のＯＮ／ＯＦＦが制御される。電流制御信号には、例えば、ＰＷＭ（Pulse Wi
dth Modulation）制御信号が用いられてもよい。
【００４６】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００４７】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００４８】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００４９】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００５０】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００５１】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉを放電灯９０に供給する。
【００５２】
制御部４０は、放電灯駆動部２３０を制御する。図４の例では、制御部４０は、電力制
御回路２０および極性反転回路３０を制御することにより、駆動電流Ｉが同一極性を継続
する保持時間、駆動電流Ｉの電流値、駆動電力Ｗｄの電力値、周波数等のパラメーターを
制御する。制御部４０は、極性反転回路３０に対して、駆動電流Ｉの極性反転タイミング
により、駆動電流Ｉが同一極性で継続する保持時間、駆動電流Ｉの周波数等を制御する極
性反転制御を行う。制御部４０は、電力制御回路２０に対して、出力される直流電流Ｉｄ
の電流値を制御する電流制御を行う。
【００５３】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００５４】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧（電極
間電圧）Ｖｌａおよび駆動電流Ｉに基づき、電力制御回路コントローラー４２および極性
反転回路コントローラー４３を制御してもよい。
【００５５】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００５６】
電力制御回路コントローラー４２は、システムコントローラー４１からの制御信号に基
づき、電力制御回路２０へ電流制御信号を出力することにより、電力制御回路２０を制御
する。
【００５７】
極性反転回路コントローラー４３は、システムコントローラー４１からの制御信号に基
づき、極性反転回路３０へ極性反転制御信号を出力することにより、極性反転回路３０を
制御する。
【００５８】
制御部４０は、専用回路を用いて実現され、上述した制御や後述する処理の各種制御を
行うようにすることができる。これに対して、制御部４０は、例えば、ＣＰＵが記憶部４
４に記憶された制御プログラムを実行することによりコンピューターとして機能し、これ
らの処理の各種制御を行うようにすることもできる。
【００５９】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００６０】
図４に示した例では、制御部４０は、放電灯点灯装置１０の一部として構成されている
。これに対して、制御部４０の機能の一部をＣＰＵ５８０が担うように構成されていても
よい。
【００６１】
動作検出部６０は、本実施形態においては、放電灯９０のランプ電圧Ｖｌａを検出して
制御部４０にランプ電圧情報を出力する電圧検出部を含む。また、動作検出部６０は、駆
動電流Ｉを検出して制御部４０に駆動電流情報を出力する電流検出部などを含んでいても
よい。本実施形態においては、動作検出部６０は、第１の抵抗６１、第２の抵抗６２およ
び第３の抵抗６３を含んで構成されている。
【００６２】
本実施形態において、動作検出部６０の電圧検出部は、放電灯９０と並列に、互いに直
列接続された第１の抵抗６１および第２の抵抗６２で分圧した電圧によりランプ電圧Ｖｌ
ａを検出する。また、本実施形態において、電流検出部は、放電灯９０に直列に接続され
た第３の抵抗６３に発生する電圧により駆動電流Ｉを検出する。
【００６３】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００６４】
図６Ａおよび図６Ｂには、第１電極９２および第２電極９３の先端部分が示されている
。第１電極９２および第２電極９３の先端にはそれぞれ突起５５２ｐ，５６２ｐが形成さ
れている。
【００６５】
第１電極９２と第２電極９３の間で生じる放電は、主として突起５５２ｐと突起５６２
ｐとの間で生じる。本実施形態のように突起５５２ｐ，５６２ｐがある場合には、突起が
無い場合と比べて、第１電極９２および第２電極９３における放電位置（アーク位置）の
移動を抑えることができる。
【００６６】
図６Ａは、第１電極９２が陽極として動作し、第２電極９３が陰極として動作する第１
極性状態を示している。第１極性状態では、放電により、第２電極９３（陰極）から第１
電極９２（陽極）へ電子が移動する。陰極（第２電極９３）からは電子が放出される。陰
極（第２電極９３）から放出された電子は陽極（第１電極９２）の先端に衝突する。この
衝突によって熱が生じ、陽極（第１電極９２）の先端（突起５５２ｐ）の温度が上昇する
。
【００６７】
図６Ｂは、第１電極９２が陰極として動作し、第２電極９３が陽極として動作する第２
極性状態を示している。第２極性状態では、第１極性状態とは逆に、第１電極９２から第
２電極９３へ電子が移動する。その結果、第２電極９３の先端（突起５６２ｐ）の温度が
上昇する。
【００６８】
このように、放電灯９０に駆動電流Ｉが供給されることで、電子が衝突する陽極の温度
は上昇する。一方、電子を放出する陰極は、陽極に向けて電子を放出している間、温度は
低下する。
【００６９】
第１電極９２と第２電極９３との電極間距離は、突起５５２ｐ，５６２ｐの劣化ととも
に大きくなる。突起５５２ｐ，５６２ｐが損耗するためである。電極間距離が大きくなる
と、第１電極９２と第２電極９３との間の抵抗が大きくなるため、ランプ電圧Ｖｌａが大
きくなる。したがって、ランプ電圧Ｖｌａを参照することによって、電極間距離の変化、
すなわち、放電灯９０の劣化度合いを検出することができる。
【００７０】
なお、第１電極９２と第２電極９３とは、同様の構成であるため、以下の説明において
は、代表して第１電極９２についてのみ説明する場合がある。また、第１電極９２の先端
の突起５５２ｐと第２電極９３の先端の突起５６２ｐとは、同様の構成であるため、以下
の説明においては、代表して突起５５２ｐについてのみ説明する場合がある。
【００７１】
次に、制御部４０による放電灯駆動部２３０の制御について説明する。本実施形態にお
いて、制御部４０は、放電灯駆動部２３０を駆動させる駆動として、定格駆動と、調光駆
動と、を実行可能である。すなわち、放電灯駆動部２３０は、駆動モードとして、定格駆
動が実行される定格駆動モード（第１モード）ＭＳと、調光駆動が実行される調光駆動モ
ード（第２モード）ＭＣと、を有する。なお、定格駆動モードＭＳおよび調光駆動モード
ＭＣは、プロジェクター５００の図示しない操作ボタン等の操作部やリモコン等の外部装
置により使用者によって選択可能なプロジェクター５００のモードにそれぞれ対応してい
る。
【００７２】
定格駆動モードＭＳは、所定の駆動電力Ｗｄが放電灯９０に供給されるモードである。
定格駆動モードＭＳにおいては、放電灯９０の定格電力、もしくは定格電力に近い駆動電
力が放電灯９０に供給される。定格駆動モードＭＳにおいては、放電灯９０に定格駆動パ
ターン（第２駆動パターン）ＤＷＳの駆動電流Ｉが供給される。
【００７３】
図７は、本実施形態の定格駆動モードＭＳにおける定格駆動パターンＤＷＳの一例を示
す模式図である。図７に示すように、本実施形態の定格駆動パターンＤＷＳにおいては、
交流期間Ｐ１と直流期間Ｐ２とが交互に繰り返される混合期間ＰＨ１と、片寄期間Ｐ３と
が交互に繰り返される。混合期間ＰＨ１における交流期間Ｐ１の数と直流期間Ｐ２の数と
は、特に限定されない。
【００７４】
図８は、混合期間ＰＨ１において放電灯９０に供給される駆動電流Ｉの一例を示す図で
ある。図８において、縦軸は駆動電流Ｉを示しており、横軸は時間Ｔを示している。また
、駆動電流Ｉは、第１極性状態である場合を正とし、第２極性状態となる場合を負として
示している。
【００７５】
図８に示すように、交流期間Ｐ１は、放電灯９０に交流電流が供給される期間である。
本実施形態において交流期間Ｐ１は、第１交流期間Ｐ１１と、第２交流期間Ｐ１２と、第
３交流期間Ｐ１３と、第４交流期間Ｐ１４と、を有する。第１交流期間Ｐ１１と、第２交
流期間Ｐ１２と、第３交流期間Ｐ１３と、第４交流期間Ｐ１４とは、この順に連続して設
けられる。
【００７６】
本実施形態において第１交流期間Ｐ１１と、第２交流期間Ｐ１２と、第３交流期間Ｐ１
３と、第４交流期間Ｐ１４と、における交流電流は、例えば、電流値Ｉｍ１と電流値−Ｉ
ｍ１との間で極性が複数回反転される矩形波交流電流である。
【００７７】
第１交流期間Ｐ１１における周波数ｆ１１と、第２交流期間Ｐ１２における周波数ｆ１
２と、第３交流期間Ｐ１３における周波数ｆ１３と、第４交流期間Ｐ１４における周波数
ｆ１４とは、互いに異なる。すなわち、交流期間Ｐ１は、放電灯９０に供給される交流電
流の周波数ｆが互いに異なる交流期間を複数有している。
【００７８】
本実施形態において周波数ｆ１１と、周波数ｆ１２と、周波数ｆ１３と、周波数ｆ１４
とは、この順に小さくなる。すなわち、交流期間Ｐ１において、時間的に後に設けられる
交流期間ほど交流電流の周波数ｆが低くなる。
【００７９】
本実施形態において、第１交流期間Ｐ１１の長さｔ１１と、第２交流期間Ｐ１２の長さ
ｔ１２と、第３交流期間Ｐ１３の長さｔ１３と、第４交流期間Ｐ１４の長さｔ１４とは、
例えば、同じである。本実施形態において、交流期間Ｐ１の長さｔ１、すなわち、長さｔ
１１〜ｔ１４の合計の長さは、例えば、１０ｍｓ（ミリ秒）以上、１０ｓ（秒）以下であ
る。交流期間Ｐ１の長さｔ１がこのように設定されることで、第１電極９２の突起５５２
ｐに好適に熱負荷を加えることができる。
【００８０】
直流期間Ｐ２は、放電灯９０に直流電流が供給される期間である。図８に示す例では、
直流期間Ｐ２においては、一定の電流値Ｉｍ１を有する第１極性の駆動電流Ｉが放電灯９
０に供給される。直流期間Ｐ２において放電灯９０に供給される直流電流の極性は、直流
期間Ｐ２が設けられるごとに反転する。
【００８１】
すなわち、図７に示す混合期間ＰＨ１において、交流期間Ｐ１の直前に設けられる直流
期間Ｐ２の直流電流と、交流期間Ｐ１の直後に設けられる直流期間Ｐ２の直流電流とでは
、互いに極性が異なる。例えば、交流期間Ｐ１の直前に設けられる直流期間Ｐ２の直流電
流の極性が、図８に示す直流期間Ｐ２の直流電流と同様に第１極性である場合、交流期間
Ｐ１の直後に設けられる直流期間Ｐ２の直流電流の極性は、第１極性と反対の第２極性で
ある。この場合、交流期間Ｐ１の直後に設けられる直流期間Ｐ２においては、一定の電流
値−Ｉｍを有する第２極性の駆動電流Ｉが放電灯９０に供給される。
【００８２】
図８に示す直流期間Ｐ２の長さｔ２は、交流期間Ｐ１における交流電流の半周期の長さ
よりも大きい。直流期間Ｐ２の長さｔ２は、例えば、１０ｍｓ（ミリ秒）以上、２０ｍｓ
（ミリ秒）以下である。直流期間Ｐ２の長さｔ２がこのように設定されることで、第１電
極９２の突起５５２ｐに好適に熱負荷を加えることができる。
【００８３】
図９は、片寄期間Ｐ３において放電灯９０に供給される駆動電流Ｉの一例を示す図であ
る。図９において、縦軸は駆動電流Ｉを示しており、横軸は時間Ｔを示している。駆動電
流Ｉは、第１極性状態である場合を正とし、第２極性状態となる場合を負として示してい
る。
【００８４】
図９に示すように、片寄期間Ｐ３は、第１直流期間Ｐ３１および第２直流期間Ｐ３２を
交互に含む期間である。第１直流期間Ｐ３１は、放電灯９０に直流電流が供給される期間
である。図９に示す例では、第１直流期間Ｐ３１においては、一定の電流値Ｉｍ１を有す
る第１極性の駆動電流Ｉが放電灯９０に供給される。
【００８５】
第２直流期間Ｐ３２は、第１直流期間Ｐ３１において放電灯９０に供給される直流電流
の極性と反対の極性を有する直流電流が放電灯９０に供給される期間である。すなわち、
図９に示す例では、第２直流期間Ｐ３２においては、一定の電流値−Ｉｍを有する第２極
性の駆動電流Ｉが放電灯９０に供給される。
【００８６】
第１直流期間Ｐ３１において放電灯９０に供給される直流電流の極性および第２直流期
間Ｐ３２において放電灯９０に供給される直流電流の極性は、片寄期間Ｐ３が設けられる
ごとに反転する。すなわち、図９に示される片寄期間Ｐ３の次に設けられる片寄期間Ｐ３
においては、第１直流期間Ｐ３１において放電灯９０に供給される直流電流の極性は、第
２極性となり、第２直流期間Ｐ３２において放電灯９０に供給される直流電流の極性は、
第１極性となる。
【００８７】
第１直流期間Ｐ３１の長さｔ３１は、第２直流期間Ｐ３２の長さｔ３２よりも大きい。
第１直流期間Ｐ３１の長さｔ３１は、例えば、第２直流期間Ｐ３２の長さｔ３２の１０倍
以上である。第１直流期間Ｐ３１の長さｔ３１がこのように設定されることで、片寄期間
Ｐ３において、一方の電極を好適に加熱しつつ、他方の電極の温度が低下し過ぎることを
好適に抑制できる。
【００８８】
第１直流期間Ｐ３１の長さｔ３１は、例えば、５．０ｍｓ（ミリ秒）以上、２０ｍｓ（
ミリ秒）以下である。第２直流期間Ｐ３２の長さｔ３２は、０．５ｍｓ（ミリ秒）よりも
小さい。
【００８９】
片寄期間Ｐ３における第１直流期間Ｐ３１の長さｔ３１の合計は、直流期間Ｐ２の長さ
ｔ２よりも大きい。片寄期間Ｐ３における第１直流期間Ｐ３１の長さｔ３１の合計とは、
片寄期間Ｐ３に含まれるすべての第１直流期間Ｐ３１の長さｔ３１を足し合わせた長さで
ある。図９に示す例では、片寄期間Ｐ３には、例えば、４つの第１直流期間Ｐ３１が含ま
れている。そのため、片寄期間Ｐ３における第１直流期間Ｐ３１の長さｔ３１の合計とは
、４つの第１直流期間Ｐ３１の長さｔ３１を足し合わせた長さである。
【００９０】
片寄期間Ｐ３における第１直流期間Ｐ３１の長さｔ３１の合計は、例えば、１０ｍｓ（
ミリ秒）以上、１．０ｓ（秒）以下である。片寄期間Ｐ３における第１直流期間Ｐ３１の
長さｔ３１の合計がこのように設定されることで、第１電極９２の突起５５２ｐに加えら
れる熱負荷を好適に大きくできる。第１直流期間Ｐ３１の長さｔ３１は、それぞれ同じで
あってもよいし、互いに異なっていてもよい。図９に示す例では、第１直流期間Ｐ３１の
長さｔ３１は、それぞれ同じである。
【００９１】
片寄期間Ｐ３が設けられる間隔、すなわち混合期間ＰＨ１の長さは、例えば、３０ｓ（
秒）である。片寄期間Ｐ３の長さは、例えば、１００ｍｓ（ミリ秒）である。図７に示す
ように、本実施形態において片寄期間Ｐ３は、交流期間Ｐ１の直後に設けられている。片
寄期間Ｐ３の直後には、交流期間Ｐ１が設けられている。すなわち、片寄期間Ｐ３は、交
流期間Ｐ１に時間的に挟まれて設けられている。
【００９２】
調光駆動モードＭＣは、駆動電力Ｗｄの値が時間的に変化するモードである。調光駆動
モードＭＣにおいて駆動電力Ｗｄの値は、プロジェクター５００に入力される映像信号に
応じて変化する。具体的に制御部４０は、プロジェクター５００に入力される映像信号の
輝度が高いほど、駆動電力Ｗｄを大きくし、プロジェクター５００に入力される映像信号
の輝度が低いほど、駆動電力Ｗｄを小さくする。
【００９３】
本実施形態の調光駆動モードＭＣにおいては、駆動電力Ｗｄの変化に応じて放電灯９０
に供給される駆動電流Ｉの駆動パターンが変化する。すなわち、制御部４０は、調光駆動
モードＭＣにおいて、駆動電力Ｗｄの変化に応じて放電灯９０に供給される駆動電流Ｉの
駆動パターンを変化させる。調光駆動モードＭＣは、第１調光駆動モード（第１電力変化
モード）Ｍｄ１と、第１電極９２に加えられる熱負荷が第１調光駆動モードよりも大きい
第２調光駆動モード（第２電力変化モード）Ｍｄ２と、を含む。制御部４０は、調光駆動
を実行する際、放電灯駆動部２３０の駆動モード（調光駆動モードＭＣ）を、所定条件に
基づいて、第１調光駆動モードＭｄ１と第２調光駆動モードＭｄ２との間で切り換える。
【００９４】
図１０は、本実施形態の調光駆動モードＭＣにおける、駆動電力Ｗｄの変化に対する駆
動電流Ｉの駆動パターンの変化の一例を示す図である。図１０の上図は、駆動電力Ｗｄの
変化を示す図であり、縦軸は駆動電力Ｗｄを示しており、横軸は時間Ｔを示している。図
１０の下図は、駆動電流Ｉの駆動パターンの変化を示す模式図であり、横軸は時間Ｔを示
している。
【００９５】
図１０に示すように、第１調光駆動モードＭｄ１において駆動電流Ｉの駆動パターンは
、駆動パターンＤＷ１と、駆動パターンＤＷ２と、駆動パターン（第１駆動パターン）Ｄ
Ｗ３との間で変化する。第１調光駆動モードＭｄ１において駆動電力Ｗｄの値が第１電力
Ｗｄ１以上、第２電力Ｗｄ２以下の第１範囲ＷＡ１内となる場合、駆動パターンＤＷ１の
駆動電流Ｉが放電灯９０に供給される。第１調光駆動モードＭｄ１において駆動電力Ｗｄ
の値が第２電力Ｗｄ２よりも大きく、第３電力（所定値）Ｗｄ３以下の第２範囲ＷＡ２内
となる場合、駆動パターンＤＷ２の駆動電流Ｉが放電灯９０に供給される。第１調光駆動
モードＭｄ１において駆動電力Ｗｄの値が第３電力Ｗｄ３よりも大きく、第４電力Ｗｄ４
以下の第３範囲ＷＡ３内となる場合、駆動パターンＤＷ３の駆動電流Ｉが放電灯９０に供
給される。第１電力Ｗｄ１と第２電力Ｗｄ２と第３電力Ｗｄ３と第４電力Ｗｄ４とは、こ
の順に大きくなる。第４電力Ｗｄ４は、例えば、定格電力や定格電力に近い駆動電力であ
る。
【００９６】
図１１は、本実施形態の調光駆動モードＭＣにおける駆動パターンＤＷ１〜ＤＷ３の一
例を示す模式図である。図１１に示すように、本実施形態の駆動パターンＤＷ１〜ＤＷ３
においては、上述した交流期間Ｐ１と直流期間Ｐ２とが交互に繰り返される。本実施形態
の調光駆動モードＭＣにおける駆動パターンＤＷ１〜ＤＷ３においては、定格駆動モード
ＭＳにおける定格駆動パターンＤＷＳと異なり、片寄期間Ｐ３が設けられない。
【００９７】
本実施形態において駆動パターンＤＷ１〜ＤＷ３は、例えば、交流期間Ｐ１における駆
動電流Ｉの周波数ｆ、および直流期間Ｐ２の長さｔ２がそれぞれ互いに異なる。駆動パタ
ーンＤＷ１によって第１電極９２に加えられる熱負荷は、駆動パターンＤＷ２によって第
１電極９２に加えられる熱負荷よりも大きい。駆動パターンＤＷ２によって第１電極９２
に加えられる熱負荷は、駆動パターンＤＷ３によって第１電極９２に加えられる熱負荷よ
りも大きい。すなわち、駆動パターンＤＷ３と駆動パターンＤＷ２と駆動パターンＤＷ１
とは、この順に第１電極９２に加えられる熱負荷が大きくなる。これにより、駆動電力Ｗ
ｄが小さくなるほど、第１電極９２に加えられる熱負荷が大きくなる。
【００９８】
図１０に示すように、第２調光駆動モードＭｄ２において駆動電流Ｉの駆動パターンは
、駆動パターンＤＷ１と、駆動パターンＤＷ２と、図７に示した定格駆動パターンＤＷＳ
（第２駆動パターン）との間で変化する。第２調光駆動モードＭｄ２において駆動電力Ｗ
ｄの値が第１範囲ＷＡ１内となる場合、第１調光駆動モードＭｄ１と同様に、駆動パター
ンＤＷ１の駆動電流Ｉが放電灯９０に供給される。第２調光駆動モードＭｄ２において駆
動電力Ｗｄの値が第２範囲ＷＡ２内となる場合、第１調光駆動モードＭｄ１と同様に、駆
動パターンＤＷ２の駆動電流Ｉが放電灯９０に供給される。第２調光駆動モードＭｄ２に
おいて駆動電力Ｗｄの値が第３電力Ｗｄ３以下の場合に放電灯９０に供給される駆動電流
Ｉの駆動パターンは、第１調光駆動モードＭｄ１において駆動電力Ｗｄの値が第３電力Ｗ
ｄ３以下の場合に放電灯９０に供給される駆動電流Ｉの駆動パターンと同じである。
【００９９】
一方、第２調光駆動モードＭｄ２において駆動電力Ｗｄの値が第３範囲ＷＡ３内となる
場合、第１調光駆動モードＭｄ１と異なり、定格駆動パターンＤＷＳの駆動電流Ｉが放電
灯９０に供給される。すなわち、第２調光駆動モードＭｄ２において駆動電力Ｗｄの値が
第３範囲ＷＡ３内となる場合、定格駆動モードＭＳと同じ駆動パターンの駆動電流Ｉが放
電灯９０に供給される。
【０１００】
定格駆動パターンＤＷＳによって第１電極９２に加えられる熱負荷は、第１調光駆動モ
ードＭｄ１における駆動パターンＤＷ３によって第１電極９２に加えられる熱負荷よりも
大きい。これにより、第２調光駆動モードＭｄ２において第１電極９２に加えられる熱負
荷が、第１調光駆動モードＭｄ１において第１電極９２に加えられる熱負荷よりも大きく
なる。
【０１０１】
なお、本明細書において、第２調光駆動モードＭｄ２において第１電極９２に加えられ
る熱負荷が第１調光駆動モードＭｄ１よりも大きいとは、各調光駆動モードにおいて切り
換えられる各駆動パターンによって第１電極９２に加えられる熱負荷の平均値が、第１調
光駆動モードＭｄ１よりも第２調光駆動モードＭｄ２の方が大きいことを含む。
【０１０２】
また、本実施形態において、上述の通り、調光駆動モードＭＣは、第１調光駆動モード
Ｍｄ１と第２調光駆動モードＭｄ２とを含み、制御部４０は、駆動電力Ｗｄの値が第３範
囲ＷＡ３内となる場合の駆動パターンを、第１調光駆動モードＭｄ１は駆動パターンＤＷ
３に設定し、第２調光駆動モードＭｄ２は定格駆動パターンＤＷＳに設定する構成とした
が、これに限らない。調光駆動モードＭＣは、単一のモードであり、所定の条件を満たし
た場合に、単に駆動電流Ｉの駆動パターンを変化させる（切り換える）構成としてもよい
。
【０１０３】
なお、本実施形態において、第１調光駆動モードＭｄ１および第２調光駆動モードＭｄ
２における各駆動パターンＤＷ１，ＤＷ２，ＤＷ３，ＤＷＳは、図７〜９および図１１に
示されるように、電流値がＩｍおよび−Ｉｍで一定となる交流期間Ｐ１、直流期間Ｐ２、
および片寄期間Ｐ３を含む駆動電流Ｉを一例としている。しかしながら、図１０に示され
るように放電灯９０に供給される駆動電力Ｗｄの値が時間的に変化する調光駆動モードＭ
Ｃにおいて、各期間Ｐ１〜Ｐ３において放電灯９０に供給される駆動電流Ｉの電流値は、
一定の電流値（Ｉｍ１および−Ｉｍ１）ではなく、実際は時間的に変化する。このように
、制御部４０は、駆動電流Ｉの電流値を時間的に変化させることで、駆動電力Ｗｄを時間
的に変化させる。
【０１０４】
各駆動モードにおける駆動パターンのパラメーターの一例を表１に示す。
【０１０５】
【表１】
2018060704.tif 000003
【０１０６】
表１において、交流期間Ｐ１の周波数ｆの範囲は、第１交流期間Ｐ１１の周波数ｆ１１
、第２交流期間Ｐ１２の周波数ｆ１２、第３交流期間Ｐ１３の周波数ｆ１３、および第４
交流期間Ｐ１４の周波数ｆ１４が選択される範囲を示している。表１に示す例では、第１
電力Ｗｄ１は、１６０Ｗである。第２電力Ｗｄ２は、１７０Ｗである。第３電力Ｗｄ３は
、１８０Ｗである。第４電力Ｗｄ４は、２１５Ｗである。
【０１０７】
制御部４０は、調光駆動モードＭＣ（第１調光駆動モードＭｄ１）において、図１０に
示す判定期間（所定期間）ＰＨｊにおける駆動電力Ｗｄの値が所定値よりも大きくなる期
間の割合が所定の割合よりも大きくなる場合、放電灯駆動部２３０の駆動モードを、第１
調光駆動モードＭｄ１から第２調光駆動モードＭｄ２に切り換える。すなわち、制御部４
０は、調光駆動モードＭＣにおいて、所定期間における駆動電力Ｗｄの値が所定値よりも
大きくなる期間の割合が所定の割合よりも大きくなる場合、駆動電力Ｗｄの値が所定値よ
りも大きくなる期間における駆動パターンを、駆動パターンＤＷ３（第１駆動パターン）
から、第１電極９２に加えられる熱負荷が駆動パターンＤＷ３よりも大きい定格駆動パタ
ーンＤＷＳ（第２駆動パターン）に切り換える。本実施形態において所定値は、第３電力
Ｗｄ３である。すなわち、本実施形態において駆動電力Ｗｄの値が所定値よりも大きくな
る期間とは、駆動電力Ｗｄが第３電力Ｗｄ３よりも大きく、第４電力Ｗｄ４以下となる第
３範囲ＷＡ３内となる期間である。
【０１０８】
上述したように、第１調光駆動モードＭｄ１において駆動電力Ｗｄの値が所定値（第３
電力Ｗｄ３）よりも大きい場合、すなわち駆動電力Ｗｄの値が第３範囲ＷＡ３内となる場
合に放電灯９０に供給される駆動電流Ｉの駆動パターンは、駆動パターンＤＷ３である。
第２調光駆動モードＭｄ２において駆動電力Ｗｄの値が所定値（第３電力Ｗｄ３）よりも
大きい場合、すなわち駆動電力Ｗｄの値が第３範囲ＷＡ３内となる場合に放電灯９０に供
給される駆動電流Ｉの駆動パターンは、定格駆動パターンＤＷＳである。
【０１０９】
制御部４０は、判定期間ＰＨｊの長さｔｊに対して、駆動電力Ｗｄが第３範囲ＷＡ３内
となる期間の長さｔｗ３の割合が所定の割合よりも大きくなった場合に、放電灯駆動部２
３０の駆動モードを第１調光駆動モードＭｄ１から第２調光駆動モードＭｄ２に切り換え
る。駆動電力Ｗｄが第３範囲ＷＡ３内となる期間の長さｔｗ３とは、駆動パターンＤＷ３
の駆動電流Ｉが放電灯９０に供給される期間の長さである。所定の割合は、例えば、７０
％以上、９０％以下程度である。
【０１１０】
図１０に示す例では、判定期間ＰＨｊには、駆動電力Ｗｄが第１範囲ＷＡ１内となる期
間が２つ、駆動電力Ｗｄが第２範囲ＷＡ２内となる期間が１つ、駆動電力Ｗｄが第３範囲
ＷＡ３内となる期間が２つ、それぞれ設けられている。これらの期間の合計が、判定期間
ＰＨｊの長さｔｊである。図１０では、判定期間ＰＨｊに含まれる駆動電力Ｗｄが第３範
囲ＷＡ３内となる期間の長さｔｗ３の合計が、判定期間ＰＨｊの長さｔｊに対して所定の
割合よりも大きいため、制御部４０は、放電灯駆動部２３０の駆動モードを第１調光駆動
モードＭｄ１から第２調光駆動モードＭｄ２に切り換えている。
【０１１１】
判定期間ＰＨｊは、制御部４０が駆動モードの切り換えについて判定するタイミングか
ら第１所定時間だけ前までの期間である。第１所定時間は、例えば、０．５ｍｉｎ（分）
以上、５ｍｉｎ（分）以下程度である。第１所定時間は、判定期間ＰＨｊの長さｔｊに相
当する。制御部４０は、随時判定を行っていてもよいし、所定間隔で判定を行ってもよい
。図１０に示す例では、第１調光駆動モードＭｄ１と第２調光駆動モードＭｄ２との境が
、駆動モードの切り換えについて判定するタイミングの一つである。
【０１１２】
制御部４０は、放電灯駆動部２３０の駆動モードを第１調光駆動モードＭｄ１から第２
調光駆動モードＭｄ２に切り換えてから第２所定時間（所定時間）が経過した場合、放電
灯駆動部２３０の駆動モードを第２調光駆動モードＭｄ２から第１調光駆動モードＭｄ１
に切り換える。すなわち、制御部４０は、調光駆動モードＭＣにおいて駆動電力Ｗｄの値
が所定値よりも大きくなる期間における駆動パターンを、駆動パターンＤＷ３から定格駆
動パターンＤＷＳに切り換えてから所定時間が経過した場合、当該駆動パターンを定格駆
動パターンＤＷＳから駆動パターンＤＷ３に切り換える。第２所定時間とは、第２調光駆
動モードＭｄ２が実行される長さに相当する。
【０１１３】
制御部４０は、ランプ電圧Ｖｌａに応じて、第２所定時間を変化させる。具体的には、
制御部４０は、ランプ電圧Ｖｌａが大きいほど、第２所定時間を長くする。すなわち、制
御部４０は、ランプ電圧Ｖｌａが第１電圧となるときの第２所定時間を、ランプ電圧Ｖｌ
ａが第１電圧よりも小さい第２電圧となるときの第２所定時間よりも長くする。第２所定
時間は、例えば、１ｍｉｎ（分）以上、３０ｍｉｎ（分）以下程度である。
【０１１４】
その後、制御部４０は、上述したのと同様にして判定期間ＰＨｊによる判定を行い、放
電灯駆動部２３０の駆動モードを第１調光駆動モードＭｄ１と第２調光駆動モードＭｄ２
との間で切り換える。
【０１１５】
上述した制御を行う制御部４０を備える放電灯点灯装置１０は、放電灯駆動方法として
も表現できる。すなわち、本実施形態の放電灯駆動方法の一つの態様は、第１電極９２お
よび第２電極９３を有する放電灯９０に駆動電流Ｉを供給して、放電灯９０を駆動する放
電灯駆動方法であって、所定の駆動電力Ｗｄが放電灯９０に供給される定格駆動モードＭ
Ｓと、駆動電力Ｗｄの値が時間的に変化する調光駆動モードＭＣと、を有し、調光駆動モ
ードＭＣにおいて、駆動電力Ｗｄの変化に応じて放電灯９０に供給される駆動電流Ｉの駆
動パターンを変化させ、調光駆動モードＭＣにおいて、判定期間ＰＨｊにおける駆動電力
Ｗｄの値が所定値よりも大きくなる期間の割合が所定の割合よりも大きくなる場合、駆動
電力Ｗｄが所定値よりも大きくなる期間における駆動パターンを、駆動パターンＤＷ３か
ら定格駆動パターンＤＷＳに切り換えることを特徴とする。
【０１１６】
調光駆動モードＭＣにおいては、放電灯９０に供給される駆動電力Ｗｄが変化するため
、駆動電力Ｗｄの変化に応じて第１電極９２に加えられる熱負荷が変化する。これにより
、第１電極９２には熱負荷の変化による刺激が加えられやすく、突起５５２ｐが成長しや
すい。この場合、放電灯９０に供給される駆動電流Ｉの駆動パターンを定格駆動モードＭ
Ｓの駆動パターンと同じとすると、第１電極９２に加えられる熱負荷が過剰になり過ぎて
、突起５５２ｐが溶融し過ぎる場合がある。したがって、調光駆動モードＭＣにおいて放
電灯９０に供給される駆動電流Ｉの駆動パターンは、定格駆動モードＭＳにおいて放電灯
９０に供給される駆動電流Ｉの駆動パターンよりも第１電極９２に加えられる熱負荷が小
さくなるように設定されている。
【０１１７】
このような調光駆動モードＭＣにおいて、例えば、駆動電力Ｗｄの値が定格電力あるい
は定格電力に近い値となる状態が比較的長く設けられる場合、相対的に熱負荷が小さい調
光駆動モードＭＣの駆動パターンでは、第１電極９２に加えられる熱負荷が不十分となり
、突起５５２ｐを十分に成長できない場合があった。これにより、放電灯９０の寿命が低
下する場合があった。なお、駆動電力Ｗｄの値が定格電力あるいは定格電力に近い値とな
る状態が比較的長く設けられる場合とは、駆動電力Ｗｄの値が定格電力あるいは定格電力
に近い値となる状態が比較的長い時間連続して設けられる場合と、駆動電力Ｗｄの値が定
格電力あるいは定格電力に近い値となる状態が他の状態を挟んで頻繁に設けられる場合と
を含む。
【０１１８】
これに対して、本実施形態によれば、制御部４０は、判定期間ＰＨｊにおける駆動電力
Ｗｄの値が所定値よりも大きくなる期間の割合が所定の割合よりも大きくなる場合に、放
電灯駆動部２３０の駆動モードを、第１調光駆動モードＭｄ１から第２調光駆動モードＭ
ｄ２に切り換える。第２調光駆動モードＭｄ２は、第１調光駆動モードＭｄ１よりも第１
電極９２に加えられる熱負荷が大きい。そのため、第１調光駆動モードＭｄ１において駆
動電力Ｗｄの値が定格電力あるいは定格電力に近い値となる状態が比較的長く設けられる
場合に、第１電極９２に好適に熱負荷を加えることができ、突起５５２ｐを好適に成長さ
せることができる。これにより、本実施形態によれば、放電灯９０の寿命を向上させるこ
とができる。
【０１１９】
また、本実施形態によれば、調光駆動モードＭＣにおいては、駆動電力Ｗｄの変化に応
じて駆動電流Ｉの駆動パターンが変化する。そして、第２調光駆動モードＭｄ２において
駆動電力Ｗｄの値が所定値よりも大きい場合の駆動電流Ｉの駆動パターンは、定格駆動パ
ターンＤＷＳである。定格駆動パターンＤＷＳは、第１調光駆動モードＭｄ１において駆
動電力Ｗｄの値が所定値よりも大きい場合の駆動電流Ｉの駆動パターンＤＷ３よりも第１
電極９２に加えられる熱負荷が大きい。そのため、第２調光駆動モードＭｄ２において駆
動電力Ｗｄの値が定格電力あるいは定格電力に近い値となる場合に、定格駆動パターンＤ
ＷＳによって、第１電極９２に加えられる熱負荷を大きくすることができる。そのため、
第２調光駆動モードＭｄ２において第１電極９２に熱負荷を好適に加えやすく、突起５５
２ｐを好適に成長させやすい。したがって、放電灯９０の寿命をより向上できる。
【０１２０】
また、本実施形態によれば、第２調光駆動モードＭｄ２において駆動電力Ｗｄが所定値
よりも大きくなる場合に放電灯９０に供給される駆動電流Ｉの駆動パターンは、定格駆動
モードＭＳにおいて放電灯９０に供給される駆動電流Ｉの駆動パターンと同じである。そ
のため、第２調光駆動モードＭｄ２において駆動電力Ｗｄの値が定格電力あるいは定格電
力に近い値となる場合に、定格駆動モードＭＳを実行している場合と同様に第１電極９２
に熱負荷を加えることができ、突起５５２ｐをより好適に成長させることができる。した
がって、放電灯９０の寿命をより向上できる。
【０１２１】
また、本実施形態によれば、第２調光駆動モードＭｄ２において駆動電力Ｗｄの値が所
定値以下の場合に放電灯９０に供給される駆動電流Ｉの駆動パターンは、第１調光駆動モ
ードＭｄ１において駆動電力Ｗｄの値が所定値以下の場合に放電灯９０に供給される駆動
電流Ｉの駆動パターンと同じである。そのため、第２調光駆動モードＭｄ２において駆動
電力Ｗｄの値が定格電力に近い値よりも小さい場合には、第１調光駆動モードＭｄ１と同
様に駆動パターンを変化させて第１電極９２に加えられる熱負荷を好適に調整できる。こ
れにより、放電灯９０の寿命をより向上できる。
【０１２２】
また、本実施形態によれば、制御部４０は、放電灯駆動部２３０の駆動モードを第１調
光駆動モードＭｄ１から第２調光駆動モードＭｄ２に切り換えてから第２所定時間が経過
した場合、放電灯駆動部２３０の駆動モードを第２調光駆動モードＭｄ２から第１調光駆
動モードＭｄ１に切り換える。そのため、第１調光駆動モードＭｄ１と第２調光駆動モー
ドＭｄ２とを好適に切り換えて、第１電極９２に対して好適に熱負荷を加えやすい。これ
により、放電灯９０の寿命をより向上できる。
【０１２３】
また、例えば、放電灯９０が劣化するほど、第１電極９２の突起５５２ｐが成長しにく
くなる。これに対して、本実施形態によれば、制御部４０は、放電灯９０のランプ電圧Ｖ
ｌａに応じて、上述した第２所定時間を変化させる。そのため、放電灯９０の劣化に応じ
て、第２調光駆動モードＭｄ２の実行時間を変化させることができる。具体的には、本実
施形態のようにランプ電圧Ｖｌａが大きいほど、上述した第２所定時間を長くすることで
、放電灯９０が劣化するほど、第２調光駆動モードＭｄ２の実行時間を長くでき、第１電
極９２に加えられる熱負荷を大きくできる。これにより、放電灯９０が劣化した場合であ
っても突起５５２ｐを成長させることができる。したがって、放電灯９０の寿命をより向
上できる。
【０１２４】
なお、本実施形態においては、下記の構成および方法を採用することもできる。
【０１２５】
制御部４０は、第２調光駆動モードＭｄ２において、判定期間ＰＨｊにおける駆動電力
Ｗｄの値が所定値よりも大きくなる期間の割合が所定の割合以下になる場合、放電灯駆動
部２３０の駆動モードを、第２調光駆動モードＭｄ２から第１調光駆動モードＭｄ１に切
り換えてもよい。すなわち、制御部４０は、調光駆動モードＭＣにおいて、駆動電力Ｗｄ
が所定値よりも大きくなる期間における駆動パターンが定格駆動パターンＤＷＳであり、
かつ、所定期間（判定期間ＰＨｊ）における駆動電力Ｗｄの値が所定値よりも大きくなる
期間の割合が所定の割合以下になる場合、駆動電力Ｗｄが所定値よりも大きくなる期間に
おける駆動パターンを、定格駆動パターンＤＷＳから駆動パターンＤＷ３に切り換える。
この構成によれば、駆動電力Ｗｄの値の変化の状態に応じて、第１調光駆動モードＭｄ１
と第２調光駆動モードＭｄ２とを好適に切り換えやすい。そのため、放電灯９０の寿命を
より向上できる。
【０１２６】
また、第２調光駆動モードＭｄ２において駆動電力Ｗｄの値が所定値よりも大きい場合
に放電灯９０に供給される駆動電流Ｉの駆動パターンは、定格駆動モードＭＳにおいて放
電灯９０に供給される駆動電流Ｉの定格駆動パターンＤＷＳでなくてもよい。この場合、
第２調光駆動モードＭｄ２において駆動電力Ｗｄの値が所定値よりも大きい場合に放電灯
９０に供給される駆動電流Ｉの駆動パターンは、駆動パターンＤＷ３よりも第１電極９２
に加えられる熱負荷が大きければ、定格駆動パターンＤＷＳよりも第１電極９２に加えら
れる熱負荷が小さくてもよいし、大きくてもよい。
【０１２７】
また、第２調光駆動モードＭｄ２においては、駆動電力Ｗｄに応じて駆動パターンが変
化しなくてもよい。この場合、制御部４０は、第２調光駆動モードＭｄ２において、駆動
電力Ｗｄの変化によらず同じ駆動パターンの駆動電流Ｉを放電灯９０に供給し続ける。ま
た、第１調光駆動モードＭｄ１においても、駆動電力Ｗｄに応じて駆動パターンが変化し
なくてもよい。
【０１２８】
また、制御部４０は、第２調光駆動モードＭｄ２において、駆動電力Ｗｄが第３範囲Ｗ
Ａ３内となる期間の長さｔｗ３の合計、すなわち第２調光駆動モードＭｄ２に切り換えら
れてから定格駆動パターンＤＷＳの駆動電流Ｉが放電灯９０に供給された累計時間が、第
３所定時間よりも大きくなった場合に、放電灯駆動部２３０の駆動モードを第２調光駆動
モードＭｄ２から第１調光駆動モードＭｄ１に切り換えてもよい。
【０１２９】
例えば、第２調光駆動モードＭｄ２に切り換えた後であっても、駆動電力Ｗｄが第３範
囲ＷＡ３内とならない場合、すなわち駆動電力Ｗｄが第１範囲ＷＡ１内あるいは第２範囲
ＷＡ２内となる場合には、駆動電流Ｉの駆動パターンは、第１調光駆動モードＭｄ１にお
いて供給される駆動電流Ｉの駆動パターンと同じである。そのため、調光駆動モードＭＣ
を第２調光駆動モードＭｄ２に切り換えても、駆動電力Ｗｄの変化の仕方によっては、ほ
とんど定格駆動パターンＤＷＳの駆動電流Ｉが放電灯９０に供給されず、第１電極９２に
十分に熱負荷を加えにくい場合がある。
【０１３０】
これに対して、第２調光駆動モードＭｄ２において定格駆動パターンＤＷＳの駆動電流
Ｉが放電灯９０に供給された累計時間が第３所定時間よりも大きくなった場合に、放電灯
駆動部２３０の駆動モードを第２調光駆動モードＭｄ２から第１調光駆動モードＭｄ１に
切り換えることで、定格駆動パターンＤＷＳの駆動電流Ｉが放電灯９０に供給される時間
を第３所定時間分だけ確保することができる。そのため、駆動電力Ｗｄの変化の仕方によ
らず、第２調光駆動モードＭｄ２において第１電極９２に熱負荷を十分に加えることがで
きる。
【０１３１】
また、制御部４０は、ランプ電圧Ｖｌａが大きいほど、上述した第３所定時間を長くし
てもよい。上述したように、駆動電力Ｗｄが第１範囲ＷＡ１内あるいは第２範囲ＷＡ２内
にある場合には、第２調光駆動モードＭｄ２において放電灯９０に供給される駆動電流Ｉ
の駆動パターンは第１調光駆動モードＭｄ１において放電灯９０に供給される駆動電流Ｉ
の駆動パターンと変わらない。そのため、第２調光駆動モードＭｄ２の実行時間、すなわ
ち第２所定時間を長くしても、駆動電力Ｗｄの変化の仕方によっては、定格駆動パターン
ＤＷＳの駆動電流Ｉが放電灯９０に供給される累計時間が変わらない、あるいは短くなる
場合がある。
【０１３２】
これに対して、ランプ電圧Ｖｌａが大きいほど、第３所定時間を長くすることで、放電
灯９０が劣化した場合に、第２調光駆動モードＭｄ２における定格駆動パターンＤＷＳの
駆動電流Ｉが放電灯９０に供給される累計時間を大きくすることができ、第１電極９２に
好適に熱負荷を加えることができる。
【０１３３】
図１２は、調光駆動モードＭＣにおける、駆動電力Ｗｄの変化に対する駆動電流Ｉの駆
動パターンの変化の他の一例を示す図である。図１２の上図は、駆動電力Ｗｄの変化を示
す図であり、縦軸は駆動電力Ｗｄを示しており、横軸は時間Ｔを示している。図１２の下
図は、駆動電流Ｉの駆動パターンの変化を示す模式図であり、横軸は時間Ｔを示している
。
【０１３４】
制御部４０は、図１２に示すように、第１調光駆動モードＭｄ１において、駆動電力Ｗ
ｄの値が所定値よりも大きくなる期間、すなわち本実施形態では駆動電力Ｗｄの値が第３
範囲ＷＡ３内となる期間の長さｔｗ３が所定の長さよりも大きくなった場合に、放電灯駆
動部２３０の駆動モードを、第１調光駆動モードＭｄ１から第２調光駆動モードＭｄ２に
切り換えてもよい。この場合、制御部４０は、駆動電力Ｗｄの値が第３範囲ＷＡ３内とな
る期間の長さｔｗ３が所定の長さよりも大きくなった場合に、判定期間ＰＨｊにおける駆
動電力Ｗｄの値が所定値よりも大きくなる期間の割合が所定の割合よりも大きくなったと
判定する。所定の長さは、例えば、０．５ｍｉｎ（分）以上、２ｍｉｎ（分）以下程度で
ある。
【０１３５】
図１２に示す例では、制御部４０は、駆動電力Ｗｄが第４電力Ｗｄ４となる期間中にお
いて、駆動電力Ｗｄの値が第３範囲ＷＡ３内となる期間の長さｔｗ３が所定の長さよりも
大きくなった時点で、放電灯駆動部２３０の駆動モードを第１調光駆動モードＭｄ１から
第２調光駆動モードＭｄ２に切り換える。これにより、駆動電力Ｗｄが第４電力Ｗｄ４で
ある期間中に、駆動パターンが、駆動パターンＤＷ３から定格駆動パターンＤＷＳに切り
換えられる。
【０１３６】
なお、上述の実施形態において、透過型のプロジェクターに本発明を適用した場合の例
について説明したが、本発明は、反射型のプロジェクターにも適用することも可能である
。ここで、「透過型」とは、液晶パネル等を含む液晶ライトバルブが光を透過するタイプ
であることを意味する。「反射型」とは、液晶ライトバルブが光を反射するタイプである
ことを意味する。なお、光変調装置は、液晶パネル等に限られず、例えばマイクロミラー
を用いた光変調装置であってもよい。
【０１３７】
また、上述の実施形態において、３つの液晶パネル５６０Ｒ，５６０Ｇ，５６０Ｂ（液
晶ライトバルブ３３０Ｒ，３３０Ｇ，３３０Ｂ）を用いたプロジェクター５００の例を挙
げたが、本発明は、１つの液晶パネルのみを用いたプロジェクター、４つ以上の液晶パネ
ルを用いたプロジェクターにも適用可能である。
【０１３８】
また、上述の実施形態において述べた各構成は、矛盾しない範囲内において、相互に組
み合わせることができる。
【符号の説明】
【０１３９】
１０…放電灯点灯装置（放電灯駆動装置）、４０…制御部、９０…放電灯、９２…第１
電極（電極）、９３…第２電極（電極）、２００…光源装置、２３０…放電灯駆動部、３
３０Ｒ，３３０Ｇ，３３０Ｂ…液晶ライトバルブ（光変調装置）、３５０…投射光学系、
５００…プロジェクター、５０２，５１２Ｒ，５１２Ｇ，５１２Ｂ…画像信号、ＤＷ１，
ＤＷ２…駆動パターン、ＤＷ３…駆動パターン（第１駆動パターン）、ＤＷＳ…定格駆動
パターン（第２駆動パターン）、Ｉ…駆動電流、ＭＣ…調光駆動モード（第２モード）、
Ｍｄ１…第１調光駆動モード（第１電力変化モード）、Ｍｄ２…第２調光駆動モード（第
２電力変化モード）、ＭＳ…定格駆動モード（第１モード）、ＰＨｊ…判定期間（所定期
間）、Ｖｌａ…ランプ電圧（電極間電圧）、Ｗｄ…駆動電力、Ｗｄ３…第３電力（所定値
）
【図１】
2018060704.tif 000004
【図２】
2018060704.tif 000005
【図３】
2018060704.tif 000006
【図４】
2018060704.tif 000007
【図５】
2018060704.tif 000008
【図６Ａ】
2018060704.tif 000009
【図６Ｂ】
2018060704.tif 000010
【図７】
2018060704.tif 000011
【図８】
2018060704.tif 000012
【図９】
2018060704.tif 000013
【図１０】
2018060704.tif 000014
【図１１】
2018060704.tif 000015
【図１２】
2018060704.tif 000016